(57)【特許請求の範囲】
【請求項１】
オーディオ情報が記録される記録媒体が装着される装着手段と、
上記装着手段に装着される上記記録媒体に記録されたオーディオ情報を読み出す読み出し手段と、
記憶手段と、
携帯端末との接続手段と、
複数のオーディオ情報の付加情報が蓄積される情報センタと通信を行い、上記接続手段に接続される携帯端末の識別情報及び上記読み出し手段で読み出したオーディオ情報の識別情報を情報センタに送信し、情報センタから上記携帯端末の識別情報の上記情報センタによる照合結果に応じて上記オーディオ情報に関連する付加情報を受信する通信手段と、
上記読み出し手段により上記記録媒体から読み出した上記オーディオ情報が圧縮された圧縮オーディオ情報と上記通信手段を介して情報センタから受信した上記オーディオ情報の付加情報の記憶手段への書き込みを行う書き込み手段と
を備えることを特徴とする記録再生装置。
【請求項２】
上記通信手段は、さらに所定の期間毎に上記情報センタからオーディオ情報の付加情報を受信することを特徴とする請求項１記載の記録再生装置。
【請求項３】
上記通信手段が受信するオーディオ情報の付加情報は、曲のイントロ部分であることを特徴とする請求項１記載の記録再生装置。
【請求項４】
上記通信手段が受信する上記オーディオ情報に関連する付加情報は、オーディオ情報のタイトルであることを特徴とする請求項１記載の記録再生装置。
【請求項５】
上記読み出し手段は、上記記憶手段に記憶されたオーディオ情報を読み出し、上記書き込み手段は上記接続手段で接続された携帯端末に上記圧縮オーディオ情報を書き込むことを特徴とする請求項１記載の記録再生装置。
【請求項６】
入力手段からの入力により指定されたオーディオ情報の容量と上記接続手段により接続された携帯端末の空き容量とを検出し、上記携帯端末の空き容量が上記指定された圧縮オーディオ情報の容量より小さいときは、その旨を表示手段に表示させる検出手段をさらに備えることを特徴とする請求項５記載の記録再生装置。
【請求項７】
装着手段に装着されるオーディオ情報が記録される記録媒体に記録されたオーディオ情報を読み出す読み出し工程と、
複数のオーディオ情報の付加情報が蓄積される情報センタと通信し、接続手段に接続される携帯端末の識別情報及び上記読み出し工程にて読み出したオーディオ情報の識別情報を情報センタに送信し、情報センタから上記携帯端末の識別情報の上記情報センタによる照合結果に応じて上記オーディオ情報に関連する付加情報を受信する通信工程と、
上記読み出し工程において上記記録媒体から読み出した上記オーディオ情報が圧縮された圧縮オーディオ情報と、上記通信工程によって情報センタから受信した上記オーディオ情報の付加情報の上記記憶手段への書き込みを行う書き込み工程と
を有することを特徴とする記録再生方法。
【請求項８】
本体に対して遠隔地に設置され、且つ複数のオーディオ情報と複数のオーディオ情報の付加情報とが蓄積され、受信される識別情報に基づいて認証処理を行う情報センタと、
オーディオ情報が記録される記録媒体が装着される装着手段と、
上記装着手段に装着される上記記録媒体に記録されたオーディオ情報を読み出す読み出し手段と、
記憶手段と、
携帯端末との接続手段と、
上記情報センタに接続され、上記接続手段に接続される携帯端末の識別情報及び上記読み出し手段で読み出したオーディオ情報の識別情報を情報センタに送信し、情報センタから上記携帯端末の識別情報の上記情報センタによる照合結果に応じて上記オーディオ情報に関連する付加情報を受信する通信手段と、
上記読み出し手段により上記記録媒体から読み出した上記オーディオ情報が圧縮された圧縮オーディオ情報と上記通信手段が情報センタから受信した上記オーディオ情報の付加情報の上記記憶手段への書き込みを行う書き込み手段と
を備えることを特徴とする記録再生システム。
【発明の詳細な説明】
【０００１】
【発明の属する技術分野】
本発明は、記録媒体に記録されている情報を記憶手段に記録し、さらに再生する記録再生装置及び方法並びに記録再生システムに関する。
【０００２】
【従来の技術】
従来、オーディオ情報等を記録媒体に対して記録及び再生する記録再生装置が提案されている。
【０００３】
また、近年においては、遠隔地に設置された情報センタに登録することにより、当該情報センタと間で情報の送受信を行うことができる記録再生装置が提案されている。例えば、記録再生装置は、上記情報センタからの情報を受信して、再生することができるように構成されている。
【０００４】
【発明が解決しようとする課題】
ところで、近年、記録再生装置は、小型化されて、携帯可能とされている。よって、携帯可能とされた記録再生装置に、上述したような情報センタからの情報を記録したい場合もある。このような場合、当該携帯可能とされる記録再生装置は、情報センタへの登録が要求されることがある。
【０００５】
ここで、例えば、携帯可能な電話器の登録は、購入の際にユーザ登録用紙に記入し、当該記入したユーザ登録用紙を郵送等して行っていた。これにより登録まで時間がかかってしまい、実際に利用できるまで期間を要するといった問題が生じてしまう。よって、上述した携帯可能な記録再生装置についても同様の問題が生じるものと考えられる。
【０００６】
そこで、本発明は、上述の実情に鑑みてなされたものであり、携帯可能な記録再生装置の登録を短期間で完了させることができる記録再生装置及び方法並びに記録再生システムの提供を目的とする。
【０００７】
【課題を解決するための手段】
本発明に係る記録再生装置は、上述の課題を解決するために、オーディオ情報が記録される記録媒体が装着される装着手段と、上記装着手段に装着される上記記録媒体に記録されたオーディオ情報を読み出す読み出し手段と、記憶手段と、携帯端末との接続手段と、複数のオーディオ情報の付加情報が蓄積される情報センタと通信を行い、上記接続手段に接続される携帯端末の識別情報及び上記読み出し手段で読み出したオーディオ情報の識別情報を情報センタに送信し、情報センタから上記携帯端末の識別情報の上記情報センタによる照合結果に応じて上記オーディオ情報に関連する付加情報を受信する通信手段と、上記読み出し手段により上記記録媒体から読み出した上記オーディオ情報が圧縮された圧縮オーディオ情報と上記通信手段を介して情報センタから受信した上記オーディオ情報の付加情報の記憶手段への書き込みを行う書き込み手段とを備える。
【０００８】
すなわち、記録再生装置は、読み出し手段により、装着手段に装着される記録媒体に記録される少なくともデータを読み出し、一方で、通信手段により、複数の付加情報が蓄積される情報センタに接続され、ユーザが所有する少なくともユーザ識別情報及びユーザが要求するデータのデータ識別情報が情報センタに送信されると共にユーザ識別情報の情報センタによる照合結果に応じた返信を受信する。そして、記録再生装置は、書き込み手段により、読み出し手段により読み出したデータを記憶手段に書き込むと共に、通信手段を介して情報センタと送受信されることによりデータに応じて情報センタに蓄積される所定の付加情報を記憶手段に書き込む。
【０００９】
このように構成された記録再生装置は、ユーザ識別情報を情報センタに対して確認し、情報センタとの間で各種情報の授受を行う。
【００１０】
また、本発明に係る記録再生方法は、上述の課題を解決するために、装着手段に装着されるオーディオ情報が記録される記録媒体に記録されたオーディオ情報を読み出す読み出し工程と、複数のオーディオ情報の付加情報が蓄積される情報センタと通信し、接続手段に接続される携帯端末の識別情報及び上記読み出し工程にて読み出したオーディオ情報の識別情報を情報センタに送信し、情報センタから上記携帯端末の識別情報の上記情報センタによる照合結果に応じて上記オーディオ情報に関連する付加情報を受信する通信工程と、上記読み出し工程において上記記録媒体から読み出した上記オーディオ情報が圧縮された圧縮オーディオ情報と、上記通信工程によって情報センタから受信した上記オーディオ情報の付加情報の上記記憶手段への書き込みを行う書き込み工程とを有する。
【００１１】
すなわち、記録再生方法は、読み出し工程により、装着手段に装着される記録媒体に記録される少なくともデータを読み出し、一方で、通信工程により、複数の付加情報が蓄積される情報センタに接続され、ユーザが所有する少なくともユーザ識別情報及びユーザが要求するデータのデータ識別情報が情報センタに送信されると共にユーザ識別情報の情報センタによる照合結果に応じた返信を受信する。そして、記録再生方法は、書き込み工程により、読み出し工程により読み出したデータを記憶手段に書き込むと共に、通信手段を介して情報センタと送受信されることによりデータに応じて情報センタに蓄積される所定の付加情報を記憶手段に書き込む。
【００１２】
この記録再生方法により、ユーザ識別情報を情報センタに対して確認し、情報センタとの間で各種情報の授受を行う。
【００１３】
また、本発明に係る記録再生システムは、上述の課題を解決するために、本体に対して遠隔地に設置され、且つ複数のオーディオ情報と複数のオーディオ情報の付加情報とが蓄積され、受信される識別情報に基づいて認証処理を行う情報センタと、オーディオ情報が記録される記録媒体が装着される装着手段と、上記装着手段に装着される上記記録媒体に記録されたオーディオ情報を読み出す読み出し手段と、記憶手段と、携帯端末との接続手段と、上記情報センタに接続され、上記接続手段に接続される携帯端末の識別情報及び上記読み出し手段で読み出したオーディオ情報の識別情報を情報センタに送信し、情報センタから上記携帯端末の識別情報の上記情報センタによる照合結果に応じて上記オーディオ情報に関連する付加情報を受信する通信手段と、上記読み出し手段により上記記録媒体から読み出した上記オーディオ情報が圧縮された圧縮オーディオ情報と上記通信手段が情報センタから受信した上記オーディオ情報の付加情報の上記記憶手段への書き込みを行う書き込み手段とを備える。
【００１４】
すなわち、記録再生システムは、読み出し手段により、装着手段に装着される記録媒体に記録される少なくともデータを読み出し、一方で、通信手段により、本体に対して遠隔地に設置され、且つ複数の付加情報が蓄積される情報センタに接続され、ユーザが所有する少なくともユーザ識別情報及びユーザが要求するデータのデータ識別情報が情報センタに送信されると共にユーザ識別情報の情報センタによる照合結果に応じた返信を受信する。そして、記録再生システムは、書き込み手段により、読み出し手段により読み出したデータを記憶手段に書き込むと共に、通信手段を介して情報センタと送受信されることによりデータに応じて情報センタに蓄積される所定の付加情報を記憶手段に書き込む。
【００１５】
このように構成された記録再生システムは、ユーザ識別情報を情報センタに対して確認し、情報センタとの間で各種情報の授受を行う。
【００１６】
【発明の実施の形態】
本発明の実施の形態について図面を用いて詳しく説明する。この実施の形態は、記録媒体とされる光ディスクに記録されているオーディオ情報等を記憶部に記憶して、当該記憶部に記憶したオーディオ情報等を再生するように構成された記録再生装置である。
【００１７】
記憶再生装置は、図１に示すように、記録媒体である光ディスクが装着される装着部３と、装着部３に装着される光ディスクに記録される少なくともデータを読み出す読み出し部４と、複数の付加情報が蓄積される情報センタ１６に接続され、ユーザが所有する少なくともユーザ識別情報及びユーザが要求するデータのデータ識別情報が情報センタに送信されると共にユーザ識別情報の情報センタ１６による照合結果に応じた返信を受信する通信手段６と、読み出し部４により読み出したデータを記憶部５に書き込むと共に、通信手段６を介して情報センタ１６と送受信されることによりデータに応じて情報センタ１６に蓄積される所定の付加情報を記憶部５に書き込む書き込み手段７を有するＣＰＵ１３とを備える。
【００１８】
記録再生装置１は、上記記録部３及び上記読み出し部４を光ディスクドライブ２において構成している。そして、記録再生装置１は、上記各部及び各手段がバス１０により、データの送受信を行っている。
【００１９】
ここで、情報センタ１６は、上記記録再生装置１と例えばインターネット回線によって接続されているものであって、例えば、登録されている記録再生装置１に対して上記回線を介して音楽情報、映像情報等の各種情報を配信することができるように構成されている。
【００２０】
以下、記録再生装置を構成する各部及び各手段について詳しく説明する。
【００２１】
上記光ディスクドライブ２は、読み出し部４により、装着部３に装着された光ディスクから情報を読み出すように構成されている。具体的には、光ディスクドライブ２は、１倍速或いはより高速、例えば８倍速、１６倍速で光ディスクに記憶される情報を読み出すように構成されている。
【００２２】
記憶部５は、送られてくる情報を一時記憶可能な記憶手段として構成されている。例えば、記憶部５は、ハードディスクドライブ、フラッシュＲＡＭ等である。この記憶部５への情報の書き込みは、ＣＰＵ１３の書き込み手段７により行われる。
【００２３】
上記ＣＰＵ１３は、書き込み手段７により、読み出し部４により読み出したオーディオ情報を記憶部５に書き込む機能を有している。さらに、上記ＣＰＵ１３は、書き込み手段７により、通信手段６を介して情報センタ１６と送受信されることにより上記オーディオ情報に応じて、情報センタ１６に蓄積される所定の付加情報を記憶部５に書き込む機能を有している。
【００２４】
上記通信手段６は、上記情報センタ１６と当該記録再生装置１を接続可能とする部分であって、例えば、モデムである。
【００２５】
このように構成される記録再生装置１には、当該記録再生装置１の記憶部５に記録された各種情報を再生することができる携帯可能な記録再生装置（以下、携帯装置という。）が接続される。すなわち、記録再生装置１は、携帯装置との接続手段を備え、この接続手段を介して、記憶部５に記憶されている各種情報を当該携帯装置に対して送出するように構成されている。これにより、上記携帯装置では、記録再生装置１の記憶部５に記録されていた情報の再生が可能になる。
【００２６】
以上のように記録再生装置１は構成されている。この記録再生装置１は、具体的には、情報センタ１６と接続されるホームサーバとして用いられる。すなわち、図２に示すように、記録再生システム１９において、上記記録再生装置１は、情報センタ１６に対して接続されるホームサーバ２０Ａ，２０Ｂとして構成される。そして、ホームサーバ２０Ａ，２０Ｂには、当該ホームサーバ２０Ａ，２０Ｂの記憶部にいったん記憶されているオーディオ情報等が移動される携帯装置２１Ａ，２１Ｂがそれぞれ接続される。なお、以下の説明では、携帯装置２１Ａ及び携帯装置２１Ｂについては携帯装置２１とし、また、上記記録再生装置１であるホームサーバ２０Ａ及びホームサーバ２０Ｂについてはホームサーバ２０とする。
【００２７】
上記携帯装置２１は、図３に示すように、データを書き込むハードディスク２２と、一時的にデータが書き込まれるフラッシュメモリ２３と、フラッシュメモリ２３を用いて当該携帯装置２１の動作を制御するＣＰＵ２５と、ホームサーバ２０との接続部であって、当該ホームサーバ２０とのデータ授受部とされる入出力端子２４とを備えている。
【００２８】
この携帯装置２１が接続されるホームサーバ２０は、据え置きタイプとされ、例えばユーザが自宅から上記情報センタ１６に接続される端末とされる。すなわち、記録再生システム１９において、ホームサーバ２０は、自宅においてオーディオ情報等の再生を可能にし、携帯装置２１は、屋外においてオーディオ情報等の再生を可能にしている。
【００２９】
このように構成される記録再生システム１９において、携帯装置２１を情報センタ１６に登録する場合について、具体的には、ユーザが店頭において携帯装置２１を購入し、その店頭に設置されているＩＤ入力装置によって当該携帯装置２１にＩＤが入力され、そして、携帯装置２１のＩＤを情報センタ１９に登録する場合について説明する。
【００３０】
先ず携帯装置２１には、購入時に、図４に示すように、店頭に設置されているＩＤ入力装置である店内ＰＣ３１により、ＩＤ登録のための情報が入力される。例えば、ここで入力されるＩＤ登録のための項目は、図５に示すように、ＩＤ Ｎｏ．、登録日時、有効期限、Ｐａｓｓ−Ｗｏｒｄ、氏名、住所、電話番号、年令、性別、本人の嗜好、配給間隔、及び課金形態等の購入者の個人情報である。
このＩＤ登録のための項目は、携帯装置２１のハードディスク２２に記録される。なお、ＩＤ登録のための項目の入力をホームサーバ２０によって行うこともできる。
【００３１】
そして、ユーザ（購入者）は、上記個人情報が入力された携帯装置２１を自宅に持ち帰り、ホームサーバ２０に接続して、情報センタ１６に対してのＩＤ登録を行う。なお、ここで、ホームサーバ２０は、情報センタ１６に既にＩＤ登録されているものであって、例えば、情報センタ１６とインターネット回線によって接続されている。携帯装置２１は、この情報センタ１６に接続されているホームサーバ２０によってＩＤ登録することにより、情報センタ１６からの各種情報が配信されるようになる。
【００３２】
次に、図６を用いて、携帯装置２１のＩＤ登録から、当該ＩＤ登録により携帯装置２１に情報センタ１６が配信可能とされるまでの一連の処置について説明する。
【００３３】
先ず、ステップＳ１−１では、上述したように、店頭において携帯装置２１に対するＩＤ登録のための必要事項（以下、個人情報等という。）の書き込みが行われる。
【００３４】
続いて、ステップＳ２−１では、携帯装置２１からホームサーバ２０を介して情報センタ１６への上記個人情報等の配信を行う。
【００３５】
上記個人情報等が配信された情報センタ１６は、ステップＳ３−１として、データの取り込みを行う。すなわち、情報センタ１６は、ホームサーバ２０から配信された上記個人情報等に基づいて照合処理を行い、携帯装置２１のＩＤ登録を行う。これにより、情報センタ１６による照合が認証され、情報センタ１６から送信される要求許可情報を受信することができるようになる。
【００３６】
上記ＩＤ登録を完了した情報センタ１６は、ステップＳ３−２として、ＩＤの了承通知及びパスワードをホームサーバ２０に返信し、ホームサーバ２０は、ステップＳ２−２において、そのＩＤの了承通知及びパスワードを受信する。よって、ユーザは、情報センタ１６による照合が認証され、当該ユーザが要求するデータ識別情報を情報センタ１６に送信することが許可されたことになる。
【００３７】
このパスワードの受信により、携帯装置２１は、ホームサーバ２０を介して、情報センタ１６に対する情報提供の要求可能状態になる。
【００３８】
例えば、情報提供の要求は、セキュリティーを考慮して、事前に配布された登録ＩＤ及びパスワードを添付して、望みの音楽情報等を要求する。例えば、情報センタ１６におけるＩＤ登録は、図７に示すように、携帯装置２１の端末ＩＤと、当該携帯装置２１のユーザのユーザＩＤとによって行う。
【００３９】
なお、情報センタ１６及びホームサーバ２０は、図８に示すような処理により、データの照合処理を行なっている。先ず、情報センタ１６は、ステップＳ１０におけるメインルーチンの処理からステップＳ１１においてホームサーバ２０から送信されてくるデータを取り込んで、照合処理を行う。
【００４０】
この照合処理において、ホームサーバ２０から送信されてきたデータが情報センタ１６において処理可能とされた場合、情報センタ１６ではメインルーチンに戻って、対応する処理を行う。
【００４１】
一方、この照合処理において、情報センタ１６が管理している情報に基づいて照合ができない場合には、ステップＳ１２において、情報センタ１６ではホームサーバ２０に認証エラーの信号を送信する。これをうけて、ホームサーバ２０では、ステップＳ１３において、当該認証に係る処理を終了する。
【００４２】
以上のように、記録再生システム１９において、情報センタ１６に携帯装置２１がＩＤ登録され、当該ＩＤ登録された携帯装置２１に対しての配信が可能となる。
【００４３】
そして、この記録再生システム１９は、ホームサーバ２０に装着された光ディスクから記憶部５に情報をコピーする際に、情報センタ１６に蓄積されている当該コピーされる情報に対応して付加情報をホームサーバ２０に配信するように構成されている。
【００４４】
情報センタ１６では、上述したように、ＩＤ登録した携帯装置２１のユーザの個人情報を管理しており、例えば、図９に示すように、音楽のジャンル別にコード化して登録者の嗜好を分類して登録されている。そして、情報センタ１６は、ホームサーバ２０に情報を配信する周期を図１０に示すように、コード化によって分類して管理している。
【００４５】
そして、情報センタ１６は、これらコード化された登録者の情報により、図１１に示すように、管理テーブルを作成して、所定の周期にオーディオ情報に関して蓄積された情報に基づいて作成した付加情報、例えば、週毎にジャズ１０曲、をホームサーバ２０に配信する。ここで、オーディオ情報の場合における付加情報は、曲のイントロ部分である。
【００４６】
これにより、ホームサーバ２０には、情報センタ１６からオーディオ情報の付加情報が所定の周期で配信され、記憶部５に当該情報が記憶される。よって、携帯装置２１のユーザは、ホームサーバ２０の記憶部５に記憶されているオーディオ情報及び上記付加情報を得ることができ、これにより、ユーザは、毎週配信されるこの付加情報である曲のイントロを聞いて欲しいと思った曲を情報センタ１６からダウンロードすることができるようになる。
【００４７】
さらに、情報センタ１６は、ダウンロードされた曲の情報、例えば、歌手名、年代、曲調等をデータに蓄積することにより、次回配布時には、優先順位を上げて曲の付加情報をパッケージして配信することもできる。
【００４８】
なお、上記付加情報の配信を上記図１０に示した周期によって行うことに限定されることはなく、例えば、情報センタ１６は、ホームサーバ２０において光ディスクから記憶部５に情報の書き込みが行われた際に、当該ホームサーバ２０に対する配信を行うこともできる。
【００４９】
以上のように、ホームサーバ２０である上記記録再生装置１により情報センタ１６への携帯装置２１のＩＤ登録をすることができるので、登録から当該携帯装置２１が稼働するまでの時間を短縮することができる。
【００５０】
さらに、記録再生装置１により、情報センタ１６は、携帯装置２１のユーザに関する情報を収集することが可能となり、これにより、登録ユーザに関する情報の入力及び加工の軽減が可能になる。そして、記録再生装置１により、情報センタ１６は、情報の保持が容易とされるようになる。
【００５１】
また、ＩＤ登録した本人の嗜好等のデータを添付しておくことにより、情報センタ１６からの配信時に、各曲を選択せず、ランダムに数曲をダウンロードすることができるようになる。
【００５２】
さらに、パスワードを発行することにより、他人の使用及び紛失時の損失等をおさえることが可能になる。
【００５３】
また、情報センタ１６からホームサーバ２０への曲のダウンロードは、当該情報センタ１６に課金されることを条件として、実行することもできる。すなわち、ホームサーバ２０は、情報センタ１６に課金を行い、所定の曲が配信されることもできる。
【００５４】
また、このホームサーバ２０は、光ディスクドライブ２に装着されている光ディスクに記録されているオーディオ情報を、課金することにより記憶部５にコピーして保持することもできる。
【００５５】
課金の対象としては、例えば、光ディスクのオーディオ情報を高速で記憶部５にコピーする場合があげられる。ここで、高速でコピーとは、例えば、光ディスクに記録されているオーディオ情報が圧縮されたディジタル情報とされている場合において、当該オーディオ情報を圧縮状態のまま記憶部５にコピーすることである。すなわち、圧縮されたオーディオ情報をいったんデコードして再エンコードすると時間がかかってしまい、圧縮状態のまま記憶部５にコピーすることが高速でコピーされたと等価な処理になる。さらに圧縮状態のまま記憶部５に情報をコピーすることは、当該コピーされた情報の劣化の防止につながる。すわなち、課金の対象を、光ディスクから記憶部５へのコピーが利益を伴って行われる場合にする。
【００５６】
これにより、ホームサーバ２０は、このように課金して得たオーディオ情報を記憶部５に保持し、いつでも再生することができるようになる。
【００５７】
さらに、ホームサーバ２０を複数の携帯装置２１を装着するように構成することもできる。例えば、家族の各人が個人的に携帯装置２１を有する場合等が考えられる。これにより、家族の各人は、それぞれがホームサーバ２０の記憶部５に記憶されているオーディオ情報を自己の携帯装置２１に書き込むことができる。この場合、ホームサーバ２０から携帯装置２１へのオーディオ情報の書き込みは、移動により行う。例えば、オーディオ情報の移動は、ホームサーバ２０の記憶部５のオーディオ情報を携帯装置２１にコピーして、その後に、記憶部５に記録されている当該オーディオ情報を削除することにより行う。なお、ホームサーバ２０の記憶部５に記録されているオーディオ情報を再生不可能とするフラグを立てて仮想的に当該オーディオ情報がないものとすることもできる。このオーディオ情報の移動により、ホームサーバ２０に記録されていた情報が同時に複数の携帯装置２１に保持されることがなくなり、例えば、これにより、家族の一人だけがホームサーバ２０から移動したオーディオ情報を携帯装置２１によって再生することができるようになる。
【００５８】
さらに、ホームサーバ２０は、当該ホームサーバ２０に接続される携帯装置２１のＩＤを保持することもできる。これにより、ホームサーバ２０は、登録されていないＩＤの携帯装置、例えば、家族以外の携帯装置が装着された場合には、当該携帯装置へのオーディオ情報の移動を禁止することができる。
【００５９】
なお、ホームサーバ２０に対してＩＤが登録されていない携帯装置であっても、課金することにより、当該ホームサーバ２０からオーディオ情報をコピーすることもできる。例えば、当該携帯装置のＩＤの登録がないホームサーバ２０に対して当該携帯装置を接続した状態で、情報センタ１６にアクセスして、当該情報センタ１６に既に登録してある当該携帯装置のＩＤを確認する。そして、情報センタ１６においてＩＤ登録されていることが確認されることにより、当該ホームサーバ２０の記憶部５からのオーディオ情報を当該携帯装置２１に対してコピー可能な状態にする。この場合、当該携帯装置に対して直接課金を行う。
【００６０】
このように携帯装置２１のＩＤを情報センタ１６に登録しておくことにより、ホームサーバ２０に当該携帯装置２１のＩＤの登録がない場合であっても、ホームサーバ２０からオーディオ情報をコピーすることができる。
【００６１】
なお、携帯装置２１によりホームサーバ２０を介して情報センタ１６から情報を得る場合において、当該ホームサーバ２０に当該携帯装置２１のＩＤが登録されているときであっても、直接当該携帯装置２１に対して課金することもできる。これにより、携帯装置２１の情報を情報センタ１６に蓄積することができる。
【００６２】
また、携帯装置２１の情報センタ１６に対するＩＤ登録を、当該携帯装置２１を購入した店内に設置したホームサーバ２１により行うこともできる。
【００６３】
次に記録再生装置１について、より具体的な例として、図１２乃至図１４を用いて説明する。この図１２乃至図１４に示す記録再生装置５０は、課金処理したオーディオ情報を携帯装置にコピー或いは移動することができるように構成されている。
【００６４】
この記録再生装置５０は、入力手段５１を備えている。この入力手段５１には、プッシュ式又は回転式が設けられている。なお、入力手段５１には、いわゆるジョグダイアルとされる回転プッシュ式を設けることもできる。そして、この入力手段５１は、操作されることにより、記録再生装置５０の動作を制御するための制御信号を出力し、記録再生装置５０は、この制御信号に応じて動作が制御される。
【００６５】
また、記録再生装置５０は、キーボード５２を備えている。キーボード５２は、押圧操作によって操作され、当該操作に応じて信号を出力するように構成されている。これにより、例えば記録されるオーディオ情報に対応する曲名、アーティスト名簿の入力が容易にすることができる。そして、このキーボード５２からの信号は、赤外線インターフェースドライバ５３及びＵＳＢ（universal serial bus）ドライバ５４により、記録再生装置５０に入力可能とされている。ここで、赤外線インターフェースドライバ５３は、赤外線によってインターフェースを可能とするものである。
【００６６】
なお、この赤外線インターフェースドライバ５３及びＵＳＢドライバ５４を介して、キーボード５２から記録再生装置５０へデータ転送を行うこともできる。
【００６７】
また、記録再生装置５０は、ＣＰＵ５８によって当該記録再生装置５０全体の動作の制御を行うためにＲＡＭ５５、ＲＯＭ５６及びフラッシュＲＡＭ５７を備えている。具体的には、ＲＯＭ５６には、入力手段５１が操作されることにより入力される入力信号に応じて当該記録再生装置の動作を制御するプログラム等が記憶されている。また、ＲＡＭ５５及びフラッシュＲＡＭ５７には、プログラムを実行する上でのデータ領域、タスク領域が一時的に確保されている。
【００６８】
なお、上記ＣＰＵ５８は、上述した記録再生装置１のＣＰＵ１３に対応して構成されている。すなわち、ＣＰＵ５８は、後述する光ディスク５９の読み出し部により読み出したデータを後述するハードディスクドライブ６０に書き込む機能と、後述するモデム７０を介して情報センタと送受信されることによりデータに応じて当該情報センタに蓄積される所定の付加情報をハードディスクドライブ６０に書き込む機能を備えている。
【００６９】
さらに、記録再生装置５０は、光ディスクドライブ５９を備えている。この光ディスクドライブ５９は、上述した記録再生装置１の光ディスクドライブ９に対応するものである。すなわち、光ディスクドライブ５９は、記録媒体とされる光ディスクの装着部と、当該装着部に装着された光ディスクに記録されているオーディオ情報ファイルの読み出しのための読み出し部とを備えている。
【００７０】
この光ディスクドライブ５９は、当該光ディスクドライブ５９に装着された光ディスクから１倍速或いはより高速、例えば８倍速、１６倍速で光ディスクに記憶される情報が読み出せるように構成されている。この光ディスクドライブ５９から読み出されるオーディオ情報ファイルを記憶するためにハードディスクドライブ（Hard Disk Drive；ＨＤＤ）６０が設けられている。
【００７１】
また、記録再生装置５０は、エンコーダ６２を備えている。エンコーダ６２は、バス上に転送さるデータをエンコードするように構成されている。このエンコーダ６２は、エンコードアルゴリズムとして例えばＡＴＲＡＣ２（Adaptive TRansform Acoustic Coding ２；商標）を有して構成されている。
【００７２】
そして、記録再生装置５０は、オーディオ用ＤＲＡＭ６１を備えている。オーディオ用ＤＲＡＭ６１は、各種情報を記憶する部分として構成されている。例えば、オーディオ用ＤＲＡＭ６１は、光ディスクから読み出されたオーディオ情報を一時記憶する部分とされている。
【００７３】
上記ハードディスクドライブ６０は、上記図１に示す記録再生装置１の記憶部５に対応される部分であり、上述にようにオーディオ情報及び付加情報等が記憶される部分である。このハードディスクドライブ６０にオーディオ情報が記憶される前処理として、上記オーディオ用ＤＲＡＭ６１に光ディスクから読み出されたオーディオ情報が記憶されるとともに、そのオーディオ情報が上記エンコーダ６２によりエンコードされた情報がオーディオ用ＤＲＡＭ６１に再び一時記憶され、最終的に、ハードディスクドライバ６０に上記エンコードされたオーディオ情報が蓄積される。
また、記録再生装置５０は、マイクロホン６３及びライン入力用のラインＩＮ６５を備えている。記録再生装置５０において、マイクロホン６３からアンプ６４を介してオーディオ信号が入力され、或いは、ラインＩＮ６５からオーディオ信号が入力され、当該入力されたオーディオ信号がＡ／Ｄコンバータ６６によりディジタル変換される。なお、上記エンコーダ６２は、このマイクロホン６３及びアンプ６４を介して入力されるオーディオ信号に対して、或いは、ラインＩＮ６５及びＡ／Ｄコンバータ６６を介して入力されるオーディオ信号に対してもエンコードするように構成されている。
【００７４】
また、記録再生装置５０は、光ディジタルＩＮ６７及びＩＥＣ９５８（International Electrotechnical Commission 958）エンコーダ６８を備えている。光ディジタルＩＮ６７は、当該記録再生装置５０への光ディジタル入力を可能にするように構成されている。この光ディジタルＩＮ６７からの光ディジタル情報がＩＥＣ９５８エンコーダ６８を介してエンコーダ６２に入力されるように構成されている。
【００７５】
さらに、記録再生装置５０は、モデム７０を備えている。このモデム７０は、上記図１に示す記録再生装置１の通信手段６に対応される部分であり、上述した情報センタ間とのデータの送受信により、ＩＤ登録及び課金処理等を行うための部分である。
【００７６】
そして、このモデム７０は、この外部ネットワーク６９であるインターネット、テレネットワーク、ケーブルＴＶ、ワイヤレスネットワーク等に接続可能なインターフェースとされる。このモデム７０を介することにより、記録再生装置５０は、遠隔地の情報センタにリクエスト信号、或いは光ディスクドライブ５９に装着されるメディア情報、ユーザ情報を送出することができる。
【００７７】
また、モデム７０により、記録再生装置５０は、外部ネットワーク６９のサーバ側ではユーザＩＤによる照合処理、課金処理、ディスク情報からの音楽付加情報として、例えば曲のタイトル、アーティスト名、作曲家、作詞家、歌詞、ジャケットイメージ等の検索が行うことが可能になる。
【００７８】
そして、記録再生装置５０は、デコーダ７１を備えている。デコーダ７１は、ハードディスクドライブ６０に蓄積される上記エンコーダ６２によりエンコードされるオーディオ情報をデコードするように構成されている。このデコーダ７１によりデコードされた上記ハードディスクドライブ６０からのオーディオ情報は、Ｄ／Ａコンバータ７２及びアンプ７３を介してスピーカ７４から出力される。ここで、デコーダ７１のデコードアルゴリズムは、上記エンコーダ６２のエンコードアルゴリズムに対応するものとされている。
【００７９】
また、記録再生装置５０は、表示部７６及びこの表示部７６の駆動用の表示ドライバ７５を備えている。表示部７６は、例えば、液晶表示（Liquid Crystal Display；ＬＣＤ）部とされて構成されている。
【００８０】
上記表示ドライバ７５は、ハードディスクドライブ６０に蓄積されるオーディオ情報をユーザが管理、制御するためのインターフェースである。表示部７６は、各種情報を画像情報として表示する部分とされて、この表示ドライバ７５によって駆動されて各種情報を表示する。
【００８１】
そして、表示部７６は、マウス、ペン、ユーザの指で触れる等の入力手段５１としてのポインディングデバイスによって表示画面内に表示されるコマンド等が指定できるように構成されている。これにより、記録再生装置５０は、この表示部７６において指定されたオーディオ情報等を再生制御することができる。さらに、記録再生装置は５０、表示部７６により選択されたオーディオ情報の消去、外部機器へのコピー、移動等も制御可能とされる。
【００８２】
具体的には、表示部７６には、オーディオ情報に対応するフォルダ、或いはジャケットイメージが表示される。また、表示部７６は、光ディスクドライブ５９に装着されるメディアのＴＯＣ（table of contents）情報を基に、いわゆるインターネット上のＷＷＷ（world wide wed）サイトから検索された関連情報としてのｈｔｍｌ（hyper text markup language）文書がグラフィック表示されるように構成され、更に通常のインターネットブラウザとしても使用可能となっている。
【００８３】
また、記録再生装置５０は、ＩＥＥＥ１３９４インターフェース７８及びＩＥＥＥ１３９４ドライバーを備えている。記録再生装置５０は、このＩＥＥＥ１３９４インターフェース７８、ＩＥＥＥ１３９４ドライバーを介して、衛生放送用のＩＲＤ（integrated receiver/decoder）７７、ＭＤ（商標）、ＤＶＤ（商標）、ＤＶ等からオーディオ情報を取り込むことができるように構成されている。
【００８４】
さらに、記録再生装置５０は、ＰＣＭＣＩＡ（Personal Computer Memory Card International Association）ドライバ８０及びＰＣＭＣＩＡスロット８１を備えている。ＰＣＭＣＩＡドライバ８０を介して設けられているＰＣＭＣＩＡスロット３１は、ＰＣＭＣＩＡカード８２の装着部として構成されている。記録再生装置５０は、このＰＣＭＣＩＡカード８２の装着により、外部記憶装置、その他のメディアドライブ、モデム、ターミナルアダプタ、キャプチャボード等様々な周辺機器の拡張が容易とされる。
【００８５】
そして、記録再生装置５０は、Ｉ／Ｆドライバ８３及びＩ／Ｆ８４を備えている。記録再生装置５０は、このＩ／Ｆドライバ８３により、ハードディスクドライブ６０に蓄積されるオーディオ情報をＩ／Ｆ８４、他の記録再生装置のＩ／Ｆ８５を介して瞬時に当該他の記録再生装置にコピー、或いは移動することができる。具体的には、記録再生装置５０は、課金処理して得たオーディオ情報ファイルを他の記録再生装置にコピー或いは移動することができる。
【００８６】
このように構成された記録再生装置５０は、モデム７０により情報センタとの接続が可能とされ、当該記録再生装置５０に装着される携帯装置のＩＤ登録等を行うことができる。
【００８７】
次に、記録再生装置５０に接続される携帯装置について説明する。本実施の形態において携帯装置は、記録再生装置５０に設けられる装置部に装着されることにより当該記録再生装置５０と電気的に接続されるように構成されている。上記携帯装置は、具体的には、図１３に示すように構成されている。
【００８８】
携帯装置１００は、Ｉ／Ｆドライバ１０１及び上記記録再生装置５０に接続される部分とされる上記Ｉ／Ｆ８５を備えている。すなわち、Ｉ／Ｆドライバ１０１のＩ／Ｆ８５には、上記記録再生装置５０のＩ／Ｆ８４が接続される。これにより、携帯装置１００は、上記記録再生装置５０の接続が可能とされる。
【００８９】
また、携帯装置１００は、当該携帯装置１００への入力部分とされる入力手段１０２を設けている。この入力手段１０２には、プッシュ式、回動式のキーが設けられている。なお、入力手段１０２は、いわゆるジョグダイヤルとされる回動プッシュ式のキーによって構成されるものであってもよい。これらの入力手段１０２は、操作されることによりバス１３０に当該操作に対応した制御信号を出力する。この入力手段１０２からバス１３０に送出される制御信号は、当該携帯装置１００の動作を制御するための信号である。
【００９０】
さらに、携帯装置１００は、ＲＡＭ１０３及びＲＯＭ１０４を備えている。ＲＯＭ１０４には、当該携帯装置１００が接続される上記記録再生装置５０と同様に、入力手段１０２が操作されることにより入力される入力信号に応じて携帯装置１００が制御されるようなプログラム等が記憶されている。また、ＲＡＭ１０３には、プログラムを実行する上でのデータ領域、タスク領域が一時的に確保されている。そして、ＣＰＵ１０５は、これらＲＯＭ１０３及びＲＡＭ１０４に記憶される各種データにより当該携帯装置１００全体の動作を制御している。
【００９１】
そして、携帯装置１００は、オーディオ情報を記憶するため等に用いるフラッシュＲＡＭ１０６及びオーディオ用ＤＲＡＭ１０７と、エンコード処理するエンコーダ１０８とを備えている。
【００９２】
ここで、フラッシュＲＡＭ１０６には、上述した記録再生装置５０からのオーディオ情報がコピー或いは移動される。具体的には、携帯装置１００が上記記録再生装置５０に接続された状態から、記録再生装置５０の表示部７６において外部機器へのコピー、或いは移動を選択することにより、この携帯装置１００のＩ／Ｆドライバ１０１を介して当該記録再生装置５０のハードディスクドライブ６０からエンコードされたオーディオ情報が当該携帯装置５０のフラッシュＲＡＭ１０６にコピー或いは移動される。
【００９３】
なお、携帯装置１００は、エンコードされたオーディオ情報を記録再生装置５０からコピー或いは移動されることに限定されない。すなわち、記録再生装置５０の光ディスクドライブ５９に装着されるメディアから読み出されるオーディオ情報が直接Ｉ／Ｆドライバ１０１を介して入力されてもよく、このときフラッシュＲＡＭ１０６にオーディオ情報が記憶される前処理として、オーディオ用ＤＲＡＭ１０７に一旦記憶されると共に、そのオーディオ情報がエンコーダ１０８によりエンコードされてオーディオ用ＤＲＡＭ１０７に再び一時記憶され、最終的にフラッシュＲＡＭ１０６にエンコードされたオーディオ情報として蓄積される。
【００９４】
さらに携帯装置１００は、外部入力のためのマイクロホン１０９、ライン入力のためのラインＩＮ１１１及び光ディジタル信号入力のための光ディジタルＩＮ１１３を備えている。そして、携帯装置１００は、上記エンコーダ１０８により、このマイクロホン１０９からアンプ１１０を介して入力されるオーディオ信号、或いはこのラインＩＮ１１１から入力されてＡ／Ｄコンバータ１１２を介して入力されるオーディオ信号をエンコードすることもできる。携帯装置１００は、さらにエンコーダ１０８により、光りディジタルＩＮ１１３からＩＥＣ９５８エンコーダ１１４を介して入力される光ディジタル信号もエンコードすることができる。
【００９５】
そして、携帯装置１００は、デコーダ１１５を備えている。デコーダ１１５は、フラッシュＲＡＭ１０６に蓄積されるエンコードされたオーディオ情報をデコードする部分である。このデコーダ１１５によりデコードされたオーディオ情報は、Ｄ／Ａコンバータ１１６、アンプ１１７を介してスピーカ１１８により出力される。
【００９６】
また、携帯装置１００は、上述した記録再生装置５０と同様に、表示部１２０及びこの表示部１２０を駆動するための表示ドライバ１１９を備えている。
【００９７】
上記表示部１２０は、例えば、液晶表示部とされており、バス１３０に表示ドライバ１１９を介して接続されている。表示部１２０には、オーディオ情報に対応するフォルダが表示されており、この表示部１２０は、表示される所定のオーディオ情報がマウス、ペン、ユーザの指で触れる等により選択可能になっている。この表示部１２０において選択されたオーディオ情報は、スピーカ１１８により出力再生されたり、フラッシュＲＡＭ１０６からの消去、外部機器、ここでは記録再生装置にコピー或いは移動等が行われる。
【００９８】
以上のように、携帯装置１００は構成されている。
【００９９】
次に、記録再生装置５０のハードディスクドライブ６０に記憶されているオーディオ情報ファイルが、記録再生装置５０の装着部に装着されている携帯装置１００に転送される際の動作フローについて図１４を用いて詳細に説明する。すなわち、課金処理された後において、記録再生装置５０から携帯装置１００に当該課金処理済みのオーディオ情報を転送する場合である。
【０１００】
まず、ステップＳ２１において携帯装置１００が記録再生装置５０の装着部に装着されているか否かを検知する。ここで、検知は、例えば、メカ的なスイッチ機構、或いは信号の送受信等により接続を検知する。
【０１０１】
記録再生装置５０に携帯装置１００が接続されていると判別されるとステップＳ２２により曲、すなわちオーディオ情報ファイルの携帯装置への移動の要求がユーザから指示されているか否かを判別する。具体的には表示部７６に表示されるオーディオ情報ファイルを示すフォルダのうち所定のポインティングデバイスにより選択されたオーディオ情報ファイルが携帯装置１００へ移動処理されることになる。
【０１０２】
上述のような処理により曲の移動要求が有りと判別されると、ステップＳ２３において、指定されたオーディオ情報ファイルの容量が検出する。そして、続くステップＳ２４において、携帯装置１００の空き容量を検出し、当該検出した携帯装置１００の空き容量と当該携帯装置１００に移動処理されるオーディオ情報ファイルの容量を比較する。
【０１０３】
ここで、空き容量が足りないと判別されると、ステップＳ２５において、携帯装置１００内に以前からあるオーディオ情報ファイルが自動的に削除される。例えば、携帯装置１００のフラッシュＲＡＭ１０６からのオーディオ情報ファイルの削除は、ユーザによる再生回数の少ないものを順に消去、記録された時期の日付の古いものから順に消去する等して行う。さらに、自動消去の際にユーザの許可なく消去されることにより重要なファイルが無断で消去されることもあり得ることを考慮して、例えば、記録再生装置５０の表示部７６及び携帯装置１００の表示部１２０にその警告を表示してユーザの確認を得ることができるように構成している。
【０１０４】
そして、ステップＳ２４及びステップＳ２５の処理により携帯装置１００に所定のオーディオ情報ファイルが移動可能と判断されると、続くステップＳ２６において、記録再生装置５０のハードディスクドライブ６０からＩ／Ｆ３４，３５及びＩ／Ｆドライバ１０１を介して携帯装置１００のフラッシュＲＡＭ１０６にエンコードされた所定のオーディオ情報ファイルが転送される。
【０１０５】
続く、ステップＳ２７において、記録再生装置５０のハードディスクドライブ６０に記録されているオーディオ情報ファイルに再生禁止フラグが立てられる。これにより、記録再生装置５０において、ハードディスクドライブ６０に記録されているオーディオ情報ファイルの再生が不可能になる。すなわち、所定のオーディオ情報ファイルは記録再生装置５０から携帯装置１００に仮想的に移動され、オーディオ情報ファイルは常に一つしか存在しないように管理され、不正コピーが防止される。
【０１０６】
なお、記録再生装置５０のハードディスクドライブ６０に記録されているオーディオ情報ファイルに再生禁止フラグを立てることにより、当該記録再生装置５０におけるオーディオ情報ファイルの再生を禁止しているが、転送終了後にハードディスクドライブ６０に記録されているオーディオ情報ファイルを削除することにより、記録再生装置５０における当該転送したオーディオ情報ファイルの再生を禁止することもできる。
【０１０７】
次に再びステップＳ２８において、曲の移動要求がユーザから出されているか判断し、移動要求有りの場合には上記ステップＳ２３の処理に戻り、移動要求無しとされた場合には当該処理を終了する。
【０１０８】
以上のように、記録再生装置５０のハードディスクドライブ６０に記憶されているオーディオ情報ファイルが、記録再生装置５０の装着部に装着されている携帯装置１００に書き込まれる。
【０１０９】
このように記録再生装置５０を構成することにより、当該記録再生装置５０に回線接続されている情報センタに携帯装置１００のＩＤ登録を行うことができる。よって、携帯装置１００は、情報センタへの登録から稼働可能とされる時間まで、短期間で行うことができる。
【０１１０】
さらに、記録再生装置５０により、情報センタは、携帯装置１００に関する情報、例えば、ユーザ情報を容易に管理することができようになる。
【０１１１】
また、記録記再生装置５０は、課金処理を行うとともに、課金処理済みオーディオ情報を携帯装置１００に転送することができる。よって、携帯装置１００において、課金処理済みのオーディオ情報を再生することができる。そして、上記オーディオ情報は、記録再生装置５０或いは携帯装置５０の何れか一方においてのみ再生可能とされるので、記録再生装置５０或いは携帯装置１００において再生されるオーディオ情報は、不正なコピーに基づくものでないものとすることができる。
【０１１２】
なお、上述した携帯装置１００は、上記図１３を用いて説明した構成であることに限定されない。図１５には、携帯装置１００のその変形例を示す。
【０１１３】
変形例の携帯装置２００は、上述した携帯装置１００と同様に構成されている。なお、携帯装置２００において上述した携帯装置１００の同様に構成されている箇所については、同様の番号を付し、説明を省略する。
【０１１４】
携帯装置２００は、スイッチ２０２を介してバス１３０に接続されているフラッシュＲＡＭ２０１を備えている。そして、携帯装置２００は、スイッチ２０１によりＩ／Ｆ８５とフラッシュＲＡＭ２０１との直接接続を可能にしている。上述した携帯装置１００とその変形例とされる携帯装置２００との差異は、このフラッシュＲＡＭ２０１の当該携帯装置２００における位置づけである。
【０１１５】
すなわち、図１３の携帯装置１００においては、フラッシュＲＡＭ１０６がバス１３０に直接接続されており、フラッシュＲＡＭ１０６は携帯装置１００の回路から物理的な切り離しが不可能とされている。一方、図１５に示す携帯装置２００においては、フラッシュＲＡＭ２０１は、スイッチ２０２によって、バスに電気的に接続されるように構成されている。すなわち、図１５に示す携帯装置２００にあっては、スイッチ２０２の切り換えにより簡単にフラッシュＲＡＭ２０１がバス１３０に対して切り離しが可能とされており、これにより、外部の記録再生装置との接続が容易とされる。
【０１１６】
このようにスイッチ２０２を切り替えることにより、フラッシュＲＡＭ２０１は、Ｉ／Ｆ８５を介して記録再生装置５０の記憶部の一つとして構成されるようになり、すなわち、記録再生装置５０のＣＰＵ５８によりフラッシュＲＡＭ２０１の制御が可能とされるような回路構成とされている。
【０１１７】
なお、上記記録再生装置５０において、光ディスクドライブ５９が情報を読み出す対象を光ディスクとしているが、情報を読み出す対象を光磁気ディスク、メモリカード等であってもかまわない。
【０１１８】
また、上記記録再生装置５０において、エンコーダ６２のエンコードアルゴリズムは情報圧縮されるエンコードアルゴリズムであればよく、よって、例えば、エンコードアルゴリズムをＴｗｉｎＶＱ（商標）、ＲｅａｌＡｕｄｉｏ（商標）、ＬｉｑｕｉｄＡｕｄｉｏ（商標）等として構成することもできる。
【０１１９】
さらに、上記記録再生装置５０では、エンコーダ６２によりエンコードされたオーディオ情報がハードディスクドライブ６０に蓄積されるように構成されているが、光ディスクドライブ５９から読み出される情報がそのままハードディスクドライブ６０に蓄積されるようにしてもかまわない。
【０１２０】
そして、上記記録再生装置５０は、ユーザがリクエストする曲情報が直接外部ネットワーク６９からダウンロードされるように構成することもでき、メディア情報に対応して曲情報が返信されるように構成して所定のメディアのボーナストラックが配信により取得されるように構成することもできる。
【０１２１】
また、上記記録再生装置５０は、携帯装置１００にデータの送受信が行うと共に、当該携帯装置１００に充電されるような充電部を備えることもできる。
【０１２２】
また、携帯装置１００においては、フラッシュＲＡＭ１０６をハードディスクドライブに代用することもできる。
【０１２３】
さらに、上記携帯装置１００は、記録再生装置５０の装着部に物理的に装着されることにより記録再生装置５０との送受信が可能とされているが、非接触型のＩ／Ｆによって接続されてもよく、例えばＩｒＤＡ等を用いることで可能になる。
【０１２４】
【発明の効果】
本発明に係る記録再生装置は、読み出し手段により、装着手段に装着される記録媒体に記録される少なくともデータを読み出し、一方で、通信手段により、複数の付加情報が蓄積される情報センタに接続され、ユーザが所有する少なくともユーザ識別情報及びユーザが要求するデータのデータ識別情報が情報センタに送信されると共にユーザ識別情報の情報センタによる照合結果に応じた返信を受信する。そして、記録再生装置は、書き込み手段により、読み出し手段により読み出したデータを記憶手段に書き込むと共に、通信手段を介して情報センタと送受信されることによりデータに応じて情報センタに蓄積される所定の付加情報を記憶手段に書き込む。
【０１２５】
これにより、上記記録再生装置は、ユーザ識別情報を情報センタに対して確認することができ、情報センタとの間で各種情報の授受を行うことができる。
【０１２６】
よって、上記記録再生装置は、情報センタに対して携帯端末の登録をすることができ、これにより、携帯端末は、登録から稼働までの時間を短縮することができる。
【０１２７】
さらに、上記記録再生装置により、情報センタは、当該情報センタに登録された端末の情報を容易に収集することができるので、端末のユーザに関する情報等の入力、加工の手間が軽減される。
【０１２８】
また、本発明に係る記録再生方法は、読み出し工程により、装着手段に装着される記録媒体に記録される少なくともデータを読み出し、一方で、通信工程により、複数の付加情報が蓄積される情報センタに接続され、ユーザが所有する少なくともユーザ識別情報及びユーザが要求するデータのデータ識別情報が情報センタに送信されると共にユーザ識別情報の情報センタによる照合結果に応じた返信を受信する。そして、記録再生方法は、書き込み工程により、読み出し工程により読み出したデータを記憶手段に書き込むと共に、通信手段を介して情報センタと送受信されることによりデータに応じて情報センタに蓄積される所定の付加情報を記憶手段に書き込む。
【０１２９】
この記録再生方法により、ユーザ識別情報を情報センタに対して確認することができ、情報センタとの間で各種情報の授受を行うことができる。
【０１３０】
よって、上記記録再生方法は、情報センタに対して携帯端末の登録をすることができ、これにより、携帯端末は、登録から稼働までの時間を短縮することができる。
【０１３１】
さらに、上記記録再生方法により、情報センタは、当該情報センタに登録された端末の情報を容易に収集することができるので、端末のユーザに関する情報等の入力、加工の手間が軽減される。
【０１３２】
また、記録再生システムは、読み出し手段により、装着手段に装着される記録媒体に記録される少なくともデータを読み出し、一方で、通信手段により、本体に対して遠隔地に設置され、且つ複数の付加情報が蓄積される情報センタに接続され、ユーザが所有する少なくともユーザ識別情報及びユーザが要求するデータのデータ識別情報が情報センタに送信されると共にユーザ識別情報の情報センタによる照合結果に応じた返信を受信する。そして、記録再生システムは、書き込み手段により、読み出し手段により読み出したデータを内蔵される記憶手段に書き込むと共に、通信手段を介して情報センタと送受信されることによりデータに応じて情報センタに蓄積される所定の付加情報を記憶手段に書き込む。
【０１３３】
これにより、記録再生システムは、ユーザ識別情報を情報センタに対して確認することができ、情報センタとの間で各種情報の授受を行うことができる。
【０１３４】
よって、上記記録再生システムは、情報センタに対して携帯端末の登録をすることができ、これにより、携帯端末は、登録から稼働までの時間を短縮することができる。
【０１３５】
さらに、上記記録再生システムにより、情報センタは、当該情報センタに登録された端末の情報を容易に収集することができるので、端末のユーザに関する情報等の入力、加工の手間が軽減される。
【図面の簡単な説明】
【図１】本発明の実施の形態である記録再生装置の構成を示すブロック回路図である。
【図２】上記記録再生装置がホームサーバとされ、当該ホームサーバに対して携帯装置が装着される記録再生システムの構成を示すブロック図である。
【図３】上記携帯装置の構成を示すブロック回路図である。
【図４】上記携帯装置にＩＤ登録のためのユーザ個人情報を店内ＰＣにより入力するときの説明に用いたブロック図である。
【図５】上記携帯装置に入力される個人情報を示す図である。
【図６】上記携帯装置を情報センタにＩＤ登録する手順を示すフローチャートである。
【図７】上記携帯装置がＩＤ登録される情報センタにおいて管理される当該携帯装置のＩＤを示す図である。
【図８】上記情報センタにおいて行う照合処理の手順を示すフローチャートである。
【図９】上記情報センタにおいて管理されるデータの一例を示す図である。
【図１０】上記情報センタが管理する当該情報センタからホームサーバに情報を配信する間隔を示す図である。
【図１１】上記情報センタから配信される付属情報の一例を示す図である。
【図１２】上記記録再生装置よりもさらに具体的な例とされた本発明の実施の形態である記録再生装置である。
【図１３】上記さらに具体的な例とされた記録再生装置に装着される携帯装置の構成を示すブロック回路図である。
【図１４】上記さらに具体的な例とされた記録再生装置から上記携帯装置にオーディオ情報を転送する一連の手順を示すフローチャートである。
【図１５】上記携帯装置の変形例とされる携帯装置の構成を示すブロック回路図である。
【符号の説明】
１  記録再生装置、３  装着部、４  読み出し部、６  通信手段、１３  ＣＰＵ
【図１】
0004632464.tif 000002
【図２】
0004632464.tif 000003
【図３】
0004632464.tif 000004
【図４】
0004632464.tif 000005
【図５】
0004632464.tif 000006
【図６】
0004632464.tif 000007
【図７】
0004632464.tif 000008
【図８】
0004632464.tif 000009
【図９】
0004632464.tif 000010
【図１０】
0004632464.tif 000011
【図１１】
0004632464.tif 000012
【図１２】
0004632464.tif 000013
【図１３】
0004632464.tif 000014
【図１４】
0004632464.tif 000015
【図１５】
0004632464.tif 000016